(57)【要約】【課題】逆電解を実施せずに短時間でのイオン放出を行わせ、断続的に電源が切断される電源下での使用においても安定した機能水の生成が可能な機能水生成装置及びミスト発生装置を提供する。【解決手段】電解槽１内に対向配置された陽極２及び陰極（イオン吸着電極）３と、陽極２、陰極３間に電圧を印加する電源５とを備え、電源５からの電圧の印加により電解槽１内の水１０を電気分解すると共に、水１０中に含まれる金属イオンを陰極３に吸着して機能水を生成する機能水生成装置において、電源５が定格電圧を保つ非切断時には、陽極２と陰極３との間を開回路とし、電源５の切断時には、陽極２と陰極３とを短絡させて閉回路とする短絡部６を設ける。【選択図】図１
2016198724.tif 000002
【特許請求の範囲】
【請求項１】
電解槽内に対向配置され、少なくとも一方がイオン吸着電極である陽極及び陰極と、該陽極、陰極間に電圧を印加する電源とを備え、前記電圧の印加により前記電解槽内の水を電気分解すると共に、水中に含まれるイオンを前記イオン吸着電極に吸着させて機能水を生成する機能水生成装置において、
前記電源が定格電圧を保つ非切断時には、前記陽極と前記陰極との間を開回路とし、前記電源の切断時には、前記陽極と前記陰極との間を閉回路とする回路切換手段を備えることを特徴とする機能水生成装置。
【請求項２】
前記回路切換手段は、前記電源と並列をなして前記陽極及び陰極に接続され、前記電源からの給電時に開路し、給電遮断時に閉路して前記陽極及び陰極間を短絡する短絡部を備えることを特徴とする請求項１に記載の機能水生成装置。
【請求項３】
前記陽極は金属電極であり、前記陰極はイオン吸着電極であって、前記電気分解時に水中に含まれる硬度イオンを前記陰極に吸着させて除去し、酸性軟水を生成することを特徴とする請求項１又は請求項２に記載の機能水生成装置。
【請求項４】
前記電源の切断状態からの復帰時に、前記陽極と前記陰極との間の残留電圧が所定のしきい値以上である場合、前記陽極及び陰極の極性を反転させる逆電解を所定時間実施することを特徴とする請求項１から請求項３のいずれか１つに記載の機能水生成装置。
【請求項５】
請求項１から請求項４のいずれか１つに記載の機能水生成装置と、
該機能水生成装置から送給される機能水を霧化する霧化器とを備え、
前記機能水のミストを発生することを特徴とするミスト発生装置。
【発明の詳細な説明】
【技術分野】
【０００１】
本発明は、原水中に溶存するイオンを除去してなる機能水を生成する機能水生成装置、及びこれを使用したミスト発生装置に関する。
【背景技術】
【０００２】
加湿機等の健康機器、スチーマ等の美容機器の技術分野においては、近年、原水（水道水）中に溶存するイオンを除去して生成された機能水を使用している。特許文献１には、機能水をミスト化して放出する加湿機が開示されている。
【０００３】
この加湿機においては、原水を収容する水タンク内に金属製の陽極と、イオン吸着材料製の陰極とを対向配置し、これらの陽極、陰極間に電圧を印加して原水を電気分解すると共に、原水中に溶存するＭｇイオン、Ｃａイオン等の硬度イオンを陰極に吸着除去することにより、人肌に対する親和性が高く、制菌効果を有する弱酸性の軟水（機能水）を生成し、生成された機能水をミスト化している。
【０００４】
加湿機の運転は、陽極、陰極の浸漬が可能な量の水を水タンク内に残して終了し、その後、陽極、陰極間に逆向きの電圧を印加し、両極の極性を反転した逆電解を実施することにより陰極に吸着されたイオンを残水中に放出させ、イオン吸着材料製の陰極の吸着能力を回復させている。次の運転は、水タンク内の残水を排出し、新たに原水を供給して開始される。
【先行技術文献】
【特許文献】
【０００５】
【特許文献１】特開２０１０−１１７０８０号公報
【発明の概要】
【発明が解決しようとする課題】
【０００６】
特許文献１に記載された加湿機においては、運転終了の都度、前述した逆電解が繰り返される結果、イオン吸着材料製の陰極が陽極酸化現象により劣化する虞れがある。
【０００７】
陰極の吸着イオンは、自然放電によっても放出されるが、自然放電には多くの時間を必要とする。この種の加湿機は、車載機器として使用される場合があり、この場合、ＡＣＣのオン、オフに連動する車載電源の切断により運転を終了した後、自然放電による吸着イオンの放出が不十分な状態で運転が再開される虞れがあり、多数回の使用により十分なイオン吸着能力を発揮し得ず、安定した機能水の生成が阻害される事態が起こり得る。
【０００８】
同様の事態は、ＵＳＢ電源等、断続的に切断される可能性がある電源下での使用においても発生する。
【０００９】
本発明は斯かる事情に鑑みてなされたものであり、逆電解を実施せずに可及的に短時間でのイオン放出を行わせ、断続的に電源が切断される電源下での使用においてもイオン吸着能力の不足が生じ難く、安定した機能水の生成が可能な機能水生成装置、及びこれを用いたミスト発生装置を提供することを目的とする。
【課題を解決するための手段】
【００１０】
本発明に係る機能水生成装置は、電解槽内に対向配置され、少なくとも一方がイオン吸着電極である陽極及び陰極と、該陽極、陰極間に電圧を印加する電源とを備え、前記電圧の印加により前記電解槽内の水を電気分解すると共に、水中に含まれるイオンを前記イオン吸着電極に吸着させて機能水を生成する機能水生成装置において、前記電源が定格電圧を保つ非切断時には、前記陽極と前記陰極との間を開回路とし、前記電源の切断時には、前記陽極と前記陰極との間を閉回路とする回路切換手段を備えることを特徴とする。
【００１１】
また本発明に係る機能水生成装置は、前記回路切換手段が、前記電源と並列をなして前記陽極及び陰極に接続され、前記電源からの給電時に開路し、給電遮断時に閉路して前記陽極及び陰極間を短絡する短絡部を備えることを特徴とする。
【００１２】
また本発明に係る機能水生成装置は、前記陽極が金属電極であり、前記陰極がイオン吸着電極であって、前記電気分解時に水中に含まれる硬度イオンを前記陰極に吸着させて除去し、酸性軟水を生成することを特徴とする。
【００１３】
また本発明に係る機能水生成装置は、前記電源の切断状態からの復帰時に、前記陽極と前記陰極との間の残留電圧が所定のしきい値以上である場合、前記陽極及び陰極の極性を反転させる逆電解を所定時間実施することを特徴とする。
【００１４】
また本発明に係るミスト発生装置は、以上の如き機能水生成装置と、該機能水生成装置から送給される機能水を霧化する霧化器とを備え、前記機能水のミストを発生することを特徴とする。
【発明の効果】
【００１５】
本発明に係る機能水生成装置においては、陽極、陰極間に電圧を印加する電源の切断時に、開路切換手段の動作により陽極と陰極との間を閉回路とするから、両極が短絡された状態で短時間の自然放電により吸着イオンの放出を行わせ、断続的に電源が切断される電源下での使用においてもイオン吸着能力の不足を防止し、安定した機能水の生成が可能となり、また本発明に係るミスト発生装置においては、機能水のミストを安定して発生することができる。
【図面の簡単な説明】
【００１６】
【図１】実施の形態１に係る機能水生成装置の概略構成を示す模式図である。
【図２】ミスト発生終了時の状態を示す模式図である。
【図３】機能水生成装置の運転動作の流れを示すフローチャートである。
【図４】実施の形態２に係る機能水生成装置の運転動作の流れを示すフローチャートである。
【図５】実施の形態３に係る機能水生成装置の概略構成を示す模式図である。
【発明を実施するための形態】
【００１７】
（実施の形態１）
以下本発明をその実施の形態を示す図面に基づいて詳述する。図１は、実施の形態１に係る機能水生成装置の概略構成を示す模式図である。本図に示す機能水発生装置は、電解槽１と、該電解槽１内に対向配置された陽極２と陰極３とを備え、更に、霧化器４を備えるミスト発生装置として構成されている。
【００１８】
電解槽１は、適量の水１０を収容可能な中空容器である。電解槽１は、天板の一部に連設された給排水口１１を有しており、水１０は、給排水口１１を介して給水又は排水される。給排水口１１からは、水道水等の原水が給水され、給排水口１１からは、後述する電気分解、ミスト発生完了後に電解槽１内に残る残水が排水される。
【００１９】
陽極２は、金属製の電極であり、例えば、白金コートされたチタン電極を使用することができる。陰極３は、イオンを可逆的に吸着することができるイオン吸着電極であり、例えば、導電性を有する多孔質材料としての活性炭電極を使用することができる。陽極２、陰極３は、例えば、９０ｍｍ×７０ｍｍの矩形平板であるが、陽極２、陰極３の形状及び大きさは適宜に設定することができる。
【００２０】
図１において、陰極３は、電解槽１の底板に沿わせて配置され、陽極２は、陰極３の上方に所定長（例えば、１０ｍｍ）離隔し、略全面を対向させて配置されている。このように配置した陽極２及び陰極３は、電源５に接続されており、陽極２と陰極３との間には、電源５からの給電により電圧が印加される。なお、電源５は、車載電源等の断続的に切断される電源であり、図１中には、機能ブロックとして示してある。
【００２１】
また陽極２及び陰極３は、電源５と並列に配された短絡部６にも接続されている。短絡部６は、例えば、電源５からの給電に応じて開路する常閉接点であり、図１中には、電源５と同様に機能ブロックとして示してある。短絡部６は、電源５の切断時に給電停止により閉路し、陽極２と陰極３とを短絡する。陽極２、陰極３間は、電源５の切断に伴う短絡部６の動作により閉回路になる。
【００２２】
霧化器４は、電解槽１の天板上に配してあり、適量の水を溜めることができる水溜め部４ａと、該水溜め部４ａの底部に配した超音波素子４ｂとを備える。水溜め部４ａの下部には、吸水芯４０が取り付けてある。
【００２３】
吸水芯４０は、フェルト等の繊維集合体製、又は水を含んで毛細管現象により吸い上げる機能を有する多孔質材料製の棒体であり、電解槽１内に垂下されている。吸水芯４０の下部は、電解槽１に収容された水１０中に浸漬させてあり、下端は、陽極２の上方に近接して対向させてある。このように設けられた吸水芯４０は、電解槽１内の水１０を吸い上げ、霧化器４の水溜め部４ａに連続して供給する作用をなし、霧化器４は、水溜め部４ａへの供給水に超音波素子４ｂが発生する超音波振動を加えて霧化し、ミストを発生する。
【００２４】
なお霧化器６は、水を霧化し得る適宜の構成とするができるが、装置への搭載性を考慮すると、静電霧化器、表面波霧化器等の小型の霧化器を採用するのが好ましい。
【００２５】
以上の如く構成された機能水生成装置は、水道水等の原水を電解槽１内に給水し、陽極２、陰極３間に電圧を印加すると共に、霧化器４を駆動して使用される。電解槽１内の水１０は、陽極２、陰極３間の電圧印加により電気分解される。
【００２６】
このとき陽極２の周辺では、下記（１）式に従う反応により酸素（Ｏ２ ）が発生すると共に、水素イオン（Ｈ＋）が生成される。
Ｈ２Ｏ  →  １／２Ｏ２＋２Ｈ＋＋２ｅ−  …（１）
【００２７】
また陰極３の周辺では、下記（２）式に従う反応により、水素（Ｈ２）が発生すると共に、ＯＨ−イオンが生成されるが、ＯＨ−イオンの生成は限定的であり、電解槽１内の水１０は、Ｈ＋イオンの増加により酸性化する。
２Ｈ２Ｏ＋２ｅ−  →  Ｈ２＋２ＯＨ−  …（２）
【００２８】
一方、イオン吸着電極である陰極３には、水１０中に溶存しているＭｇイオン、Ｃａイオン等の硬度イオン（Ｍ２＋）が、下記（３）式で示すように吸着され、電解槽１内の水１０は軟水化する。
Ｍ２＋＋２ｅ−  →  Ｍ  …（３）
【００２９】
例えば、ｐＨ＝７．６，硬度４５ｍｇ／Ｌの水道水（５００ｍＬ）を、陽極２、陰極３間の距離を１０ｍｍとし、３５〜４５Ｖの電圧を印加して電気分解した結果、３〜３．５のｐＨ値を有し、１０ｍｇ／Ｌ程度に低下した硬度を有する弱酸性の軟水（機能水）が生成される。この機能水は、人肌に対する親和性が高く、制菌効果を有しており、健康機器、美容機器の技術分野での使用に好適である。
【００３０】
なお、上方に位置する陽極２は、前述した電気分解により発生する酸素（Ｏ２）及び水素（Ｈ２）の通過を可能とするため、例えば、エキスパンドメタルにより形成された網状の電極とするのが好ましい。
【００３１】
このように生成される機能水は、吸水芯４０により吸い上げられて霧化器４に供給されて前述の如くミスト化される。図１中には、霧化器４が発生する機能水のミスト４１を模式的に図示している。
【００３２】
ミスト４１の発生は、電解槽１内の水位が吸水芯４０の下端よりも低下し、霧化器４への機能水の供給がなされなくなるまで継続する。図２は、ミスト発生終了時の状態を示す模式図である。前述の如く、吸水芯４０の下端は、陽極２の上方に位置しており、機能水生成装置の動作は、図２に示す如く、陽極２及び陰極３が浸漬する水位の水１０が電解槽１内に残った状態で終了（通常終了）する。
【００３３】
なお、霧化器４への給水は、給水用のポンプを設ける等、吸水芯４０以外の適宜の手段により実現することができる。この場合には、フロートセンサ等の電解槽１内の水位を検出する検出器を設け、該検出器の検出結果に基づいて通常終了の可否を判定する必要がある。実施の形態に示す吸水芯４０は、霧化器４への安定した給水を簡素な構成により実現し、また水位の検出を必要とせずに通常終了を実現することが可能となる。
【００３４】
一方、陽極２、陰極３間への電圧印加は、前述の如く、断続的に切断される電源５からなされるから、機能性生成装置の動作は、電源５の切断によっても終了（強制終了）せしめられる。
【００３５】
図３は、機能水生成装置の運転動作の流れを示すフローチャートである。このフローチャートは、所定のプログラムに従う図示しない制御装置の動作によって実施される。制御装置は常に通電され機能水生成装置の電源とは別の電源で機能する。機能水生成装置は、例えば、図示しない運転スイッチのオン操作等に応じて動作を開始し、前述した如く機能水を生成する（ステップＳ１）。
【００３６】
機能水の生成は、生成終了の判定がなされる（ステップＳ２）まで実施され、生成終了の判定がなされた場合（ステップＳ２：ＹＥＳ）、電源５が切断状態にあるか否かの判定（ステップＳ３）に応じてステップＳ４又はステップＳ５が実行される。
【００３７】
ステップＳ２における生成終了には、前述した通常終了（運転スイッチのオフ操作を含む）と、強制終了との２通りが存在する。ステップＳ３の判定は、通常終了であるか強制終了であるかの判定であり、電源５が定格電圧を保っている場合には通常終了であると判定され、電源５が定格電圧を保っていない場合、電源５の切断による強制終了であると判定される。
【００３８】
電源５が切断状態にある強制終了の場合（ステップＳ３：ＹＥＳ）、陽極２、陰極３間を閉回路とし（ステップＳ４）、通常終了の場合（ステップＳ３：ＮＯ）、陽極２、陰極３間を開回路に保つ。
【００３９】
なお、ステップＳ３〜Ｓ５は、電源５と並列に設けた短絡部６の前述した動作により実現されるものであり、電源５が定格電圧を維持している間は、該電源５からの給電により短絡部６が開路し、陽極２、陰極３間は開回路となり、電源５の切断時には、給電遮断により短絡部６が閉路し、陽極２、陰極３間は短絡されて閉回路となる。短絡部６は、前述した常閉接点に限らず、同様の動作が可能な適宜の素子を用いることができる。
【００４０】
一方、電源５の状態を検出する検出器を設け、この検出器の検出結果に基づいて開回路と閉回路との切換えを行わせる構成としてもよいが、この切換えは、実施の形態に示す短絡部６を設けることにより、簡素な構成により自動的に行わせることができる。
【００４１】
陽極２、陰極３間を閉回路とした場合、陽極２と陰極３が短絡された状態となり、イオン吸着電極である陰極３に吸着された硬度イオン（Ｍ２＋）は、２〜３時間程度の自然放電により、８０％以上が水１０中に放出され、陰極３のイオン吸着能力は短時間で回復せしめられる。このとき、逆電解を実施せず、自然放電によりイオン放出がなされるから、陽極酸化現象による陰極３の劣化を防止することができる。
【００４２】
一方、陽極２、陰極３間を開回路に保った場合にも自然放電が生じる。この場合、８０％以上の硬度イオンの放出には半日程度を必要とするが、この場合にも逆電解を実施しないから陽極酸化現象による陰極３の劣化は生じない。
【００４３】
次に、イオンの放出が完了したか否かの判定（ステップＳ６）を、電源５の復帰により運転が再開される（ステップＳ７）まで繰り返し、イオンの放出が完了したと判定された場合（ステップＳ６：ＹＥＳ）、残水を排水（ステップＳ８）させて運転を終了する。イオンの放出が完了したか否かは、残水のｐＨや電気伝導度を測定することで判定できる。また、単に予め定めた放電時間の経過によって判定してもよい。放電時間は、装置構成によって異なるため、実験によって求めることが好ましい。
【００４４】
残水の排水は、例えば、ランプの点灯により使用者に報知して行わせる、使用者は、硬度イオンを多く含む残水を給排水口１１から排水し、新たな原水を給排水口１１から給水して次回の運転に備える。
【００４５】
一方、イオン放出の完了前に運転が再開された場合（ステップＳ７：ＹＥＳ）、ステップＳ１に戻って機能水の生成を実施する。このとき、陰極３は、イオン吸着能力を回復した状態にあり、機能水の生成を良好に行わせることができる。
【００４６】
（実施の形態２）
図４は、実施の形態２に係る機能水生成装置の運転動作の流れを示すフローチャートである。本実施の形態の運転動作は、実施の形態１と同じ構成の機能水生成装置において行われる。実施の形態１と異なる点は、陰極３からのイオン放出に際し、一部で逆電解を行わせる点であり、それ以外の動作は実施の形態１と同じである。以下には、実施の形態１と異なる点のみを説明する。この運転動作においては、運転再開の判定（ステップＳ７）の後、陽極２と陰極３との間の残留電圧が所定のしきい値以上であるか否かを判定している（ステップＳ９）。
【００４７】
ステップＳ９での判定により、残留電圧が小さく、しきい値未満である場合（ステップＳ９：ＮＯ）には、ステップＳ１に戻って機能水を生成する一方、残留電圧がしきい値以上である場合（ステップＳ９：ＹＥＳ）には、陽極２と陰極３との間に逆極性の電圧を加える逆電解を予め定めた所定時間実施し（ステップＳ１０）、その後にステップＳ１に戻るようにしている。
【００４８】
図４においては、例えば、電源５が切断後、短時間で復帰し、陰極３のイオン吸着能力の回復が不十分な状態で運転が再開される事態を想定しており、陽極２、陰極３間の残留電圧が大きい場合、短時間での復帰がなされたと判定し、逆電解によるイオンの放出を行わせてイオン吸着能力を回復させている。これにより、ステップＳ１への復帰後の機能水の生成を担保している。なお逆電解は、前述の如く、陰極３の劣化を引き起こすが、ステップＳ１０での逆電解は、前述した事態の発生時のみに限定的に実施されるに過ぎず、陰極３の劣化は最小限に抑えることができる。
【００４９】
（実施の形態３）
図５は、実施の形態３に係る機能水生成装置の概略構成を示す模式図である。この機能生成装置は、電解槽１内に２つの陽極２、２と、２つの陰極３、３とを備えている。これらは、いずれもイオンを可逆的に吸着することができるイオン吸着電極であり、電解槽１の底板上に立設され、一方の陽極２が一方の陰極３に、他方の陽極２が他方の陰極３に、夫々所定長（例えば、１０ｍｍ）離隔して対向させてある。実施の形態３のミスト発生装置の他の構成は、実施の形態１の機能水生成装置と同様であり、対応する構成部材に実施の形態１と共通する参照符号を付して説明を省略する。
【００５０】
このように構成された実施の形態３の機能水生成装置においても、陽極２、２、陰極３、３間に電圧を印加することにより電解槽１内の水１０が電気分解されるが、陽極２、２、陰極３、３は、いずれもイオン吸着電極であり、夫々において水１０中の含有イオンが吸着される一方、陽極２、２の周辺のＨ＋イオン、及び陰極３、３周辺でのＯＨ−イオンの生成は限定的であり、電解槽１内の水１０は酸性化せず、略中性の軟水（機能水）が生成される。
【００５１】
また実施の形態３においても、生成された機能水は、吸水芯４０の吸い上げにより霧化器４に供給され、該霧化器４の動作によりミスト化されて放出される。また、電源５の切断による強制終了時には、短絡部６の動作により陽極２、２と陰極３、３との間が閉回路とされた状態での自然放電により、また通常終了時には、陽極２、２と陰極３、３との間を開回路とされた状態での自然放電により夫々の吸着イオンが放出せしめられる。
【００５２】
なお、陽極２、陰極３の数、大きさ及び配置は、実施の形態１、２に示す数、大きさ及び配置に限らず、電解槽１に収容された水１０中で対向するという条件下で適宜に設定することができる。
【００５３】
（実施の形態４）
実施の形態１〜３では、常時「閉」となる常閉接点、又は同様の動作をなす素子を使用した短絡部６を設けているが、実施の形態４では、短絡部６の代わりにダイオードを設ける。ダイオードは、アノードからカソードに向けて一方向に電流を流す整流機能があり、逆方向への電流が阻止される。実施の形態４では、実施の形態１〜３で使用した機能水生成装置の回路構成を前提としながら、短絡部６をダイオードに置き換える。
【００５４】
ダイオードは陽極２とカソード側を接続し、陰極３とアノード側を接続する。通常動作時には機能水生成装置の陽極２側の電位が陰極３よりも高く、ダイオードには、逆電圧がかかるため導通しない。しかし、強制停止状態で、電源５から電圧が印可されなくなると、陰極３に蓄えられた硬度イオンの電位が陰極３の電位となり、陰極３の電位が陽極２の電位を上回る状態になる。このため、ダイオードには順電圧がかかることになって導通する。結果、陰極２から陽極３に向けて電流が流れ吸着されたイオンの放出が促進される。この動作は、単に両極２、３の電位差によって起こるため、特別な制御を必要とせず、回路構成を簡素化することができる。
【００５５】
（まとめ）
本発明に係る機能水生成装置は、電解槽１内に対向配置され、少なくとも一方がイオン吸着電極である陽極２及び陰極３と、該陽極２、陰極３間に電圧を印加する電源５とを備え、前記電圧の印加により前記電解槽１内の水１０を電気分解すると共に、水１０中に含まれるイオンを前記イオン吸着電極に吸着させて機能水を生成する機能水生成装置において、前記電源５が定格電圧を保つ非切断時には、前記陽極２と前記陰極３との間を開回路とし、前記電源５の切断時には、前記陽極２と前記陰極３との間を閉回路とする回路切換手段を備えることを特徴とする。
【００５６】
本発明においては、回路切換手段の動作により、電源の切断時に陽極と陰極との間が閉回路とされるから、短時間の自然放電により吸着イオンの放出を行わせ、逆電解を実施せずにイオン吸着能力を回復させることができ、断続的に電源が切断される電源下での使用においても機能水を安定して生成することができる。
【００５７】
また本発明に係る機能水生成装置は、前記回路切換手段が、前記電源５と並列をなして前記陽極２及び陰極３に接続され、前記電源５からの給電時に開路し、給電遮断時に閉路して前記陽極２及び陰極３間を短絡する短絡部６を備えることを特徴とする。
【００５８】
本発明においては、開回路と閉回路との切換えを、陽極及び陰極間に電源と並列接続した短絡部を設ける簡素な構成により確実に行わせることができる。
【００５９】
また本発明に係る機能水生成装置は、前記陽極２が金属電極であり、前記陰極３がイオン吸着電極であって、前記電気分解時に水１０中に含まれる硬度イオンを前記陰極３に吸着させて除去し、酸性軟水を生成することを特徴とする。
【００６０】
本発明においては、陽極、陰極間の電圧印加による電気分解時に、水中の硬度イオンが陰極に吸着され、また水中の水素イオンが増加する結果、人肌に対する親和性が高く、制菌効果を有する弱酸性の軟水を生成することができる。
【００６１】
また本発明に係る機能水生成装置は、前記電源５の切断状態からの復帰時に、前記陽極２と前記陰極３との間の残留電圧が所定のしきい値以上である場合、前記陽極２及び陰極３の極性を反転させる逆電解を所定時間実施することを特徴とする。
【００６２】
本発明においては、電源が切断後の短時間で復帰し、陽極、陰極との間の残留電圧が大きい場合、逆電解によるイオン放出を行わせるから、イオン吸着能力の回復が不十分な状態で運転が再開される事態を回避することができる。逆電解は、切断後の短時間での電源復帰時に実施されるに過ぎず、逆電解による電極劣化は最小限に抑えることができる。
【００６３】
更に本発明に係るミスト発生装置は、以上の如き機能水生成装置と、該機能水生成装置から送給される機能水を霧化する霧化器４とを備え、前記機能水のミスト４１を発生することを特徴とする。
【００６４】
本発明においては、機能水生成装置により生成された機能水を霧化器に送給して霧化するから、加湿機等の健康機器、スチーマ等の美容機器の技術分野において好適な機能水のミストを安定して発生することができる。
【００６５】
なお、今回開示された実施の形態は、すべての点で例示であって制限的なものではないと考えられるべきである。本発明の範囲は、上記した意味ではなく、特許請求の範囲によって示され、特許請求の範囲と均等な意味および範囲内でのすべての変更が含まれることが意図される。
【符号の説明】
【００６６】
１    電解槽
２    陽極
３    陰極
４    霧化器
５    電源
６    短絡部
１０  水
４１  ミスト
【図１】
2016198724.tif 000003
【図２】
2016198724.tif 000004
【図３】
2016198724.tif 000005
【図４】
2016198724.tif 000006
【図５】
2016198724.tif 000007